(57)【要約】【課題】  幕板を簡単に外すことができ、収納家具内部の内部構成を変えられる。【解決手段】  天板３と、この天板３の左右に設けられる一対の側板８とを備える収納家具１であって、天板３に添わせた内天板６の下面には幅方向１８に延長してレール１０が設けられ、レール１０の手前側には幕板１２が設けられ、幕板１２はレール１０に対して着脱可能に固定される幕板固定治具５３を介して固定される。幕板固定治具５３は、Ｌ形のレール側固定部材５５、レールの溝内に挿入される繋止板５７およびレール側固定部材５５と繋止板５７の間にレールの突出片１１を挟持して固定するボルト状部材６０と、レール側固定部材５５にねじ固定されるとともに幕板１２に固定される幕板側固定部材６３とを有する。【選択図】              図９
2006271779.tif 000002
【特許請求の範囲】
【請求項１】
少なくとも天板と、該天板の左右に設けられる一対の側板とを備える収納家具であって、前記天板の下面には幅方向に延長してレールが設けられ、該レールの手前側には幕板が設けられ、該幕板は前記レールに対して着脱可能に固定する固定手段を介して固定されてなる収納家具。
【発明の詳細な説明】
【技術分野】
【０００１】
本発明は、収納家具に係り、特に建物の壁に沿って設けられる機能型収納家具に関する。
【背景技術】
【０００２】
収納家具に関する従来技術として、たとえば下記特許文献１に記載されたものが知られている。この収納家具は、家具本体の上部に昇降可能な幕板を設けることにより家具本体と部屋の天井との間の隙間を塞ぐものである。
【特許文献１】特許第３５８７４９１号公報
【発明の開示】
【発明が解決しようとする課題】
【０００３】
しかしながら、上記収納家具は、その幕板が家具本体と部屋の天井面との間に生じる隙間を塞ぐものであるが、家族構成の変化やリフォームなどにより収納家具の内部構成を変えられるものではない。
【０００４】
本発明が解決しようとする課題は、幕板を簡単に外すことができ、収納家具内部の構成を変えられることである。
【課題を解決するための手段】
【０００５】
上記課題を解決するため本発明は、少なくとも天板と、この天板の左右に設けられる一対の側板とを備える収納家具であって、天板の下面には幅方向に延長してレールが設けられ、レールの手前側には幕板が設けられ、幕板はレールに対して着脱可能に固定する固定手段を介して固定されてなることを特徴とする。
【０００６】
このようにすることにより、幕板は固定手段によりレールに対して着脱可能に固定されるので、収納家具の内部構成を変えるときには、幕板を外すことにより収納家具の前面が全体に渡って開放され、内部構成に関係する新旧部材の取り外し、取り付けを容易に行うことができる。さらに、固定手段は、レールの長手方向の任意の位置において幕板を固定することができるので、収納家具の内部を形成する部材および部材をレールに固定する他の固定具に対して固定手段が干渉することを避けることができる。
【０００７】
次に本発明を構成する各要件についてさらに詳しく説明する。本発明の収納家具は、一般の収納家具に適用できることはもちろん建物の内壁に沿って設けられる収納家具に対しても好適に利用できる。収納家具は、少なくとも天板および左右側板とを備えるが、この他にたとえば、側板の下端に設ける座板、天板と側板で囲まれる空間内に設けられる棚ユニット、背面に設けられる背面板あるいはこれに設けられ物を吊るすためのレールなどである。
【０００８】
収納家具を構成する天板、側板、あるいは幕板、座板、棚ユニットなどの材質は、木質系、合成樹脂系、金属系などであるが、特に木質系の場合は合板、ＭＤＦ、集成材などを使用すると良い。
【０００９】
レールは、天板の下面の幅方向に延長して設けられるが、天板の下面にビスなどで固定しても良いし、天板の下面に開口する溝にレールを埋め込んで、ビスまたは接着剤などで固定しても良い。さらに、天板の下面に沿って内天板を添えて固定する場合は、この内天板にレールを設ける。レールの断面形状は、特に限定されないが、下方に開口させた山形やコの字形などである。この場合、内面の左右側壁から互いに対向する方向に突出片を設けると良い。この突出片に繋止する繋止片を固定手段に設けることにより固定手段、したがって幕板を繋止し易くなる。レールの材質は、鋼、銅合金、アルミニウム合金などの金属が強度面から好ましい。
【００１０】
幕板は、レールの手前側に設けられ、正面から見てレールを隠すように設けられる。幕板は、天板の下面に当接してまたはその下面に設けられる溝に嵌合または挿入できるように設けられても良い。あるいは天板の手前に沿ってレールを隠すように設けられても良い。特に天板の下面に溝を設け、幕板の上端を含む上部を溝に挿入または嵌合するように設けると、幕板を上下方向に多少微調整しても天板と幕板の上端との間に隙間が発生しないようにすることができ、美観上も好ましい。
【００１１】
固定手段は、レールの溝に簡単に固定できる構造であるとともに、幕板を上下方向に微調整移動できるものが良い。たとえば、Ｌ形金具とし、その一方の片にはレールの溝に嵌合するレール側板片を取り付け、他方の片には上下方向に微調整移動可能な幕板側片を設けると良い。
【発明の効果】
【００１２】
本発明によれば、幕板は固定手段によりレールに対して着脱可能に固定されるので、幕板を簡単に外すことができ、収納家具前面が全体に渡って開放され、収納家具内部の構成を変えることができる。さらに、幕板をレールの任意位置で固定することができるので、固定手段と収納家具内部の部材または固定具との位置的干渉も避けられる。
【発明を実施するための最良の形態】
【００１３】
以下、本発明に係る収納家具の実施形態を図面に基いて詳細に説明する。なお、図１〜１２において、同一または同等部分には同一符号を付けて示す。
【実施例１】
【００１４】
図１は、本発明に係る収納家具の一実施形態を示す正面図である。図２は、図１の収納家具の右側面図である。この収納家具１は、天板３と、この天板３の左右に設けられる一対の側板８と、一対の側板８の下端同士を連結するカウンター（座板）１６とを備える。天板３は、この収納家具１が設置される部屋の天井７３に接して設けられる。天板３、側板８およびカウンター１６で形成される枠体２の後側には背板１４が設けられる。
【００１５】
さらに、枠体２の内側空間の左右には棚ユニット２２が設けられる。左右棚ユニット２２の間の空間は、装飾物品、薄型テレビなどの配置するスペースとなっている。棚ユニット２２は、左右一対の仕切板２４と、これら仕切板２４に掛け渡して設けられる任意枚数の棚板２６とから形成され、カウンター１６上に載置される。
【００１６】
各仕切板２４の内側面には、棚板固定用ピン孔２５の列が奥行方向に適度な間隔をおいて２列設けられ、各ピン孔列にはピン孔２５が同一の一定ピッチで多数設けられる。左右一対の仕切板２４について共通の部材を使用できるようにするため、各ピン孔列の上下方向の位置関係を対称に設けておくことが好ましい。さらに、棚ユニット２２の前面には扉５２が設けられるが、図１においては省略されている。
【００１７】
さらに、収納家具１は、カウンター１６の下に床７１に接して観音扉または引戸６９付の収納部６８および左右一対の棚収納部６７を有するが、このような下方収納部が設けられない場合は、カウンター１６が底板となって床７１上に載置される。
【００１８】
図３は、図１のＡ−Ａ断面図である。ここに示した建物の壁は、主柱７５や間柱７７などに壁下地材７９を張って形成される。背板１４は、合板、ＭＤＦなどの木質系または石膏ボード、ケイ酸カルシウム板などの無機系材料からなる横長状の板を複数枚上下方向に接続して形成されるが、木質系または無機系材料からなる幅広の一枚板として形成されても良い。横長状の板を用いる場合は、各板の長手方向の木口に雄実および雌実が形成され、これらの実の嵌合を介して上下方向に接続した背板１４とされる。
【００１９】
背板１４の表面には突板、クロスなどの化粧材が任意貼着される。背板１４は枠体２の略全幅に渡って延長しており、枠体２の中央部（棚ユニット２２が存在しない部分）のみならず左右の棚ユニット２２の背面まで延長して設けられる。左右の棚ユニット２２の背面に位置する背板１４の接続部溝には細木の挿入や充填材の充填などにより接続部溝を目立たないようにして意匠性を向上させることが好ましい。さらに、収納家具１を部屋の左右の壁下地材７９、７９間の距離Ｗ内に納めるため、側板８と壁下地材７９との間に調整板７０を用いる。
【００２０】
また、背板１４と壁下地材７９との間に遮音シートを設けて収納家具１に遮音機能を付与することもできる。遮音シートは、背板１４側および収納家具１の側面側の壁下地材７９側のいずれに貼着しても良い。遮音シートの材料としては、ゴム、合成樹脂などに高比重の金属粉や無機物粉などを混合したものやこれら高比重材料自体から形成されたシートを用いることができる。
【００２１】
図４は、図１のＢ−Ｂ断面図である。天板３に添着される内天板６の下面にはレール１０が固設されて収納家具１の幅方向略全長に渡って延長しており、仕切板２４は、このレール１０に対して、上下調整治具４０により上下移動可能に固定される。なお、内天板６を用いずに、天板３の下面に直接溝を刻設してレール１０を埋設固定しても良い。
【００２２】
図５は、図４に示す収納家具に使用される上下調整治具４０を示し、（ａ）は正面図、（ｂ）は右側面図である。図６は、図５（ａ）の平面図である。上下調整治具４０は、側面視（図５（ｂ））コの字形の本体金具４２を有する。本体金具４２は、仕切板２４の上端に固定される取付片４２ａ、この取付片４２ａの上下端から直角に折り曲げられる上端水平片４２ｂおよび下端水平片４２ｂ、ならびに取付片４２ａの片側端から直角に折り曲げられる側方突出片４２ｃとを有する。上端水平片４２ｂおよび下端水平片４２ｂには同一軸上にある孔４２ｄが開けられる。
【００２３】
この実施形態によれば、上下調整治具４０は、前記２列の棚板固定用ピン２５の列のいずれか（この実施形態では前方のピン孔列）を利用して仕切板２４に固定される。すなわち、取付片４２ａには一対の取付ビス挿通孔４２ｅ，４２ｆが形成されており、その一方４２ｅには、ピン孔２５の内径より若干大きいねじ径を有する専用ビス５０（図４）が挿通され、この専用ビス５０を該ピン孔列の上端位置のピン孔２５にねじ込むことによって上下調整治具４０を仕切板２４に固定することができる。
【００２４】
もう一つの取付ビス挿通孔４２ｆには汎用ビス５１が挿通され、この汎用ビス５１を仕切板２４にねじ込む。上記のようにして上下調整治具４０を仕切板２４に固定する際、本体金具４２の側方突出片４２ｃを仕切板２４の正面木口に密着させておくことにより、本体金具４２の水平を維持することができる。
【００２５】
上端水平片４２ｂの中央にはねじ棒４４を挿通させるねじ挿通孔４２ｄが設けられるとともに、その下面にはねじ挿通孔４２ｄと整列した（または同一軸上の）位置関係でナット部材４８が固着される。ねじ棒４４の先端はテーパー状とされ、該テーパー状先端４４ａがレール１０の溝に挿入されるとともに、該レール延長方向に沿ってスライド移動可能である。
【００２６】
テーパー状先端４４ａの基端側には、レール１０の下面に当接するつば４６が設けられる。ねじ棒４４の軸部４４ｂは、ナット部材４８に螺合するとともに本体金具４２の上下端水平片４２ｂの挿通孔４２ｄに挿通される。仕切板２４の固定は、ねじ棒４４を（その下端に形成した＋または−の溝にドライバーを用いることなどによって）回すことによって、つば４６がレール１０の下面を押圧する。
【００２７】
実際の仕切板２４の固定作業は、ねじ棒４４の上先端を最小突出量の状態（頭部を本体金具４２の上端水平片４２ｂに最も接近させた状態）にして、仕切板２４に対して専用ビス５０および汎用ビス５１で固定した後、ねじ棒４４を下端の＋または−溝にドライバーを当てて回転させて頭部を上昇させ、テーパー状先端４４ａをレール１０の溝内に挿入し、つば４６がレール１０の下面に接触するように取り付けた後、さらにねじ棒４４を同方向に回転させることにより本体金具４２を下方に移動させ、これに固定された仕切板２４を下方に押し付けてレール１０とカウンター１６の間に挟持固定する。
【００２８】
このようにして固定された仕切板２４を取り外すときは、ねじ棒４４をドライバーで逆回転することにより、つば４６をレール１０の下面から離すとともにテーパー状先端４４ａをレール１０の溝から外せば良い。
【００２９】
図７は、図１〜３に示す収納家具１に使用される棚板２６の下面図である。図８は、棚板固定治具２８を用いて棚板２６を仕切板２４に固定した状態を示す要部拡大図である。棚ユニット２２の各棚板２６は、左右一対の仕切板２４の前記２列のピン孔列の任意の高さ位置の棚板固定用ピン孔２５を用いて、これら仕切板２４に対して任意の高さ位置に取り付けられるが、そのうち少なくとも一つの棚板２６は、その下面側において棚板固定冶具２８を四隅に用いることによって左右一対の仕切板２４に対して固定される。
【００３０】
棚板固定冶具２８は、略円柱形状や略球形状などのケース３６内に移動板３２、偏芯ねじ３０および偏芯カム３４が設けられ、移動板３２の前方切欠凹部３２ａに仕切板２４に固定された異形ビス３８の頭部が係止されている。移動板３２は、その後方部に形成された開口３２ｂ内に収容された偏芯カム３４を偏芯ねじ３０により回転させることによって矢印方向３９にスライド移動可能に設けられており、棚板２６と仕切板２４とを互いに引き寄せることにより棚板２６と仕切板２４とを固定する。
【００３１】
棚板２６を仕切板２４から外すときは、図８に示す偏芯カム３４位置で、棚板２６を上方に持ち上げることにより、棚板２６を異形ビス３８の頭部から離して外すことができる。このような棚板固定冶具２８を用いることにより、棚板２６を仕切板２４に対して着脱自在に固定することができる。
【００３２】
なお、図７、８においては、棚板固定冶具のケース３６の下半部を切除して内部構造が見えるようにしてある。また、ケース３６は棚板２６の厚み範囲内で埋設固定されており、棚板固定治具２８は棚板２６の上面側には露出していない。
【００３３】
上述のように、少なくとも一つの棚板２６について上記棚板固定治具２８を用いた固定が行われるが、この棚板固定治具２８が用いられる棚板２６は少なくとも仕切板２４の下部に設けられることが好ましい。これによって棚ユニット２２の構造強度が高くなり、安定した収納家具として設置することができる。さらに好ましくは、仕切板２４の上方および下方に設けられるそれぞれ一つの棚板２６について棚板固定治具２８を用いた固定を行うと、より強度の高い棚ユニット２２とすることができる。
【００３４】
さらに好ましくは三つ以上の棚板２６を棚板固定治具２８を用いて固定するものとし、一つは仕切板２４の下端近くに設け、残りを仕切板２４の高さ方向中央から上側と下側とに分散させて設けると、より一層強固に棚ユニット２２を組み立てることができる。棚板固定治具２８を用いない棚板２６は、たとえば、単にピンやダボを仕切板２４のピン孔２５に挿入固定し、その上に棚板２６を載置するようにしても良い。もちろん、すべての棚板２６を棚板固定治具２８によって固定しても良い。
【００３５】
図９は、幕板固定治具５３を用いて幕板１２をレール１０に固定した状態を示す要部拡大図である。図１０は、図９における幕板固定治具５３とレール１０とを含む部分の拡大図である。この収納家具は、上下調整治具やレールなどを隠して美観を損ねないようにするための幕板１２が取り付けられる。幕板１２は、図９に示すように、断面矩形の縦長部材で、幕板固定治具（固定手段）５３によってレール１０に固定される。レール１０は、先に記載したように、天板３に添着された内天板６の下面幅方向（図９紙面に垂直な方向）に延長して設けられる。幕板１２は、このレール１０の手前側に設けられ、レール１０に対して着脱可能に固定される。
【００３６】
図１１は、幕板固定治具５３を示し、（ａ）は正面図、（ｂ）は右側面図である。図１２は、図１１（ａ）の平面図である。幕板固定治具５３は、正面視（図１１（ａ））Ｌ形であってレールに固定されるレール側固定部材５５と、略板状であって幕板１２に固定される幕板側固定部材６３とを有する。
【００３７】
さらに、幕板固定治具５３は、レール側固定部材５５の一方の片（レールに固定される側）５５ａの略中央位置で下側から挿入されるボルト状部材６０と、このボルト状部材６０のねじ部に挿入されるスプリングコイル６１と、このスプリングコイル６１を介してボルト状部材６０のねじ部に螺合する略矩形板状の繋止板５７とを有する。繋止板５７と一方の片５５ａとは常にスプリングコイル６１によって離間された状態に置かれる。
【００３８】
繋止板５７は、その両端に爪５８が形成される。繋止板５７の短辺長さＣは、レール１０の溝幅Ｒ（図１０）よりも小さく形成され、繋止板５７の長辺長さＬは、レール１０の溝幅Ｒよりも大きく形成される。さらに、後述のように、繋止板５７をレールの溝内で回転させたときに、レールの内側壁に当接する当接部５７ａ間の寸法Ｄはレール内壁間の距離に等しく形成される。また、レール側固定部材の他方の片５５ｂの中央には長孔５５ｃが設けられる。
【００３９】
幕板側固定部材６３は、この部材を幕板１２に固定するためのビス用貫通孔６３ａが一対設けられる。さらに、幕板側固定部材６３の略中央には、ボルト状部材６６用の雌ねじが形成され、レール側固定部材の他方の片５５ｂの長孔５５ｃに挿入したボルト状部材６６によりレール側固定部材５５と幕板側固定部材６３とが上下方向に微調整可能に固定される。また、幕板側固定部材６３の上端から外方で直交する方向に所定の距離をおいて一対の突起６５が設けられる。一対の突起６５は、幕板１２の長手方向に設けられる細溝１２ｂ（図１０）に挿入されることにより、幕板固定治具５３の上下方向の位置決めがなされる。
【００４０】
図１３は、図１０においてボルト状部材６０を回転させ繋止板５７をレールの突出片１１に食い込ませた状態を示し、（ａ）は正面図、（ｂ）は平面図である。図１０に示すように、繋止板５７はレール１０の溝に挿入されたときにレールの内側壁１０ａや突出片１１に接触しない状態におかれる。ボルト状部材６０を回転させると繋止板５７は一緒に回転し、図１３に示すように、繋止板の爪５８の外側がレールの内側壁１０ａに当接するまで回転する。このとき、繋止板の当接部５７ａは直線状平面とし、二つの当接部５７ａの直線状平面は平行となるように、かつ二つの当接部５７ａの直線状平面間の幅Ｄはレールの内側壁１０ａ間の距離に一致するように形成されている。
【００４１】
繋止板の当接部５７ａをレールの内側壁１０ａに当接させた状態で、さらにボルト状部材６０を回転させると、繋止板５７とレール側固定部材５５との間隔が徐々に狭まり、繋止板の爪５８がレールの突出片１１に食い込んだ状態で固定される。この実施形態においては、爪５８は尖った形状であるが、当接部５７ａの長さＥ全体に渡ってレールの内側壁１０ａに対して平行な突出状の爪を設けても良い。
【００４２】
図１４は、レールにおける突出片１１の各種断面形状を示し、（ａ）は円弧、（ｂ）は複数溝、（ｃ）は逆傾斜部、各断面図である。上記実施形態いおける突出片１１の断面形状は矩形であるが、（ａ）のように先端に円弧１１ａを形成したもの、（ｂ）のように先端に複数溝１１ｂを形成したもの、あるいは（ｃ）のように逆傾斜１１ｃを形成したものなどでも良く、繋止板の爪５８が繋止し易くすると良い。
【００４３】
以上の構造を有する幕板固定治具５３を使用して幕板１２を取り付ける方法は、次のようである。図１０に示すように、先ず幕板１２の細溝１２ｂに幕板側固定部材６３の突起６５を挿入し、幕板１２の長手方向所定の位置で幕板固定治具５３をビス６３ｂにより固定する。次に、図９に示すように、幕板１２の上端を天板３の幕板用溝４に挿入する。同時に、図１０に示すように、幕板固定治具の繋止板５７をレール１０の溝に挿入する。次に、ボルト状部材６０を回転させて締めることにより繋止板５７がレール１０の両内壁に当接するとともに、爪５８がレール１０の溝を形成する突出片１１に圧接し、幕板固定冶具５３がレール１０に固定されるとともに幕板１２も固定される。
【００４４】
本実施形態の収納家具１は、幕板１２が幕板固定治具５３によりレール１０に対して着脱可能に固定されるので、収納家具１の内部構成を変えるときには、幕板１２を外すことにより収納家具１の前面が全体に渡って開放され、内部構成に関係する新旧部材の取り外し、取り付けを容易に行うことができる。さらに、レール１０の長手方向の任意の位置において幕板固定治具５３により幕板１２を固定することができるので、収納家具１の内部を形成する部材および部材をレール１０に固定する他の固定具に対して幕板固定治具５３が干渉することを避けることができる。
【００４５】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００４６】
本発明の収納家具は、一般住宅や業務用建物内の収納家具、とくに壁に沿って設けられる収納家具として好適に利用できる。
【図面の簡単な説明】
【００４７】
【図１】本発明に係る収納家具の一実施形態を示す正面図である。
【図２】図１の収納家具の右側面図である。
【図３】図１のＡ−Ａ断面図である。
【図４】図１のＢ−Ｂ断面図である。
【図５】図４に示す収納家具に使用される上下調整治具を示し、（ａ）は正面図、（ｂ）は右側面図である。
【図６】図５（ａ）の平面図である。
【図７】図１〜３に示す収納家具に使用される棚板の下面図である。
【図８】棚板固定治具を用いて棚板を仕切板に固定した状態を示す要部拡大図である。
【図９】図１〜３に示す収納家具において、幕板固定治具を用いて幕板をレールに固定した状態を示す要部拡大図である。
【図１０】図９における幕板固定治具とレール部分とを含む部分の拡大図である。
【図１１】幕板固定治具を示し、（ａ）は正面図、（ｂ）は右側面図である。
【図１２】図１１（ａ）の平面図である。
【図１３】図１０においてボルト状部材を回転させ繋止板をレールの突出片に食い込ませた状態を示し、（ａ）は正面図、（ｂ）は平面図である。
【図１４】レールにおける突出片の各種断面形状を示し、（ａ）は円弧、（ｂ）は複数溝、（ｃ）は逆傾斜部、各断面図である。
【符号の説明】
【００４８】
１  収納家具
３  天板
６  内天板
８  側板
１０  レール
１２  幕板
１６  カウンター
１８  幅方向
２０  上下方向
２２  棚ユニット
２４  仕切板
２６  棚板
２８  棚板固定治具
４０  上下調整治具
５３  幕板固定治具（固定手段）
５５  レール側固定部材
５７  繋止板
５８  爪
６０  ボルト状部材
６１  スプリングコイル
６３  幕板側固定部材
【図１】
2006271779.tif 000003
【図２】
2006271779.tif 000004
【図３】
2006271779.tif 000005
【図４】
2006271779.tif 000006
【図５】
2006271779.tif 000007
【図６】
2006271779.tif 000008
【図７】
2006271779.tif 000009
【図８】
2006271779.tif 000010
【図９】
2006271779.tif 000011
【図１０】
2006271779.tif 000012
【図１１】
2006271779.tif 000013
【図１２】
2006271779.tif 000014
【図１３】
2006271779.tif 000015
【図１４】
2006271779.tif 000016